(57)【要約】【課題】浮上体を任意に移動させることにより、玩具としてもリハビリテーション用具としても活用できる遊技具を提供する。【解決手段】風圧によって浮上するプロペラ４１を配置した浮遊体４と、浮遊体が移動可能な内部空域を持った経路を成し、かつこの経路の外周側を通気可能に形成して成る空中路２と、この空中路を空中の任意の位置に保持する支持体３３を備えた保持手段３と、浮遊体を浮上させながら空中路内を移動させる送風手段７と、から構成する。上記空中路の外周側は、通気状態が良好なスパイラスコイル２１、環状体２２、網体２３としている。また、この空中路２の途中経路には、リングの一部切り欠いたワイヤ６３を回転して内部に浮遊体を収納可能とする中空回転体６を配置し、浮遊体を一時的に留置可能な載置台５を配置する。さらに、送風手段は手持ち移動可能なドライヤとする。【選択図】      図１
0003117049.tif 000002
【実用新案登録請求の範囲】
【請求項１】
風圧によって浮上する浮遊体（４）と、
該浮遊体（４）が移動可能な経路を成し、かつ該経路の外周側の一部又は全部を通気可能に形成して成る空中路（２）と、
該空中路（２）を空中の任意の位置に保持する保持手段（３）と、
上記浮遊体（４）を浮上させながら空中路内を移動させる送風手段（７）と、
から成ることを特徴とする遊技具。
【請求項２】
空中路（２）を、外周側が通気可能なスパイラルコイル（２１）、環状体（２２）、網体（２３）又はこれらの組み合わせから構成したことを特徴とする請求項１記載の遊技具。
【請求項３】
空中路（２）の途中経路に、環状のワイヤ又はこれを一部切り欠いたワイヤ（６３）を回転して内部に浮遊体（４）を収納可能とする１又は複数の中空回転体（６）を配置したことを特徴とする請求項１、２記載の遊戯具。
【請求項４】
空中路（２）の途中経路に、浮遊体（４）を一時的に留置可能な載置台（５）を配置したことを特徴とする請求項１、２、又は３記載の遊技具。
【請求項５】
浮遊体（４）に、棒体状のプロペラ（４１）を配置したことを特徴とする請求項１記載の遊技具。
【請求項６】
保持手段（３）を、空中路（２）の任意の位置を支持可能な１又は複数の支持体（３３）から構成したことを特徴とする請求項１記載の遊技具。
【請求項７】
送風手段（７）を、手持ち移動可能としたことを特徴とする請求項１記載の遊技具。
【考案の詳細な説明】
【技術分野】
【０００１】
本願考案は、所定空中路内に配置した浮遊体を送風により浮上させつつ経路内を移動させて楽しむと共に、運動機能をも鍛錬可能な遊技具に関する。
【背景技術】
【０００２】
従来から、送風により軽量なピンポン玉や皿体等（以下、「浮上体等」と称する。）を浮上させて楽しむ装置や玩具（以下、「玩具等」と称する。）が存在していた。これらの玩具等は、例えば、送風ポンプを備えて持続的に多様な浮上体等を浮き上がらせて視覚的効果や一種の宣伝効果を得るものであった（例えば、特許文献１、２、３参照。）。
【特許文献１】特開昭６１−２１３２００（第１頁、第１図）
【特許文献２】特開平１１−２５３６６７（第１頁、第１図）
【特許文献３】特開２００５−１４４１２４（第２−３頁、第１図）
【考案の開示】
【考案が解決しようとする課題】
【０００３】
上記の玩具等は、定位置での浮上体等の浮上状態を維持することに主眼を置くものであった。このため、その用途は上述したように単に浮上状態を視覚的に楽しむ等に限定されており、浮上体を適宜に移動させてその動作過程を楽しむものではなく、遊技性に乏しいものであった。
【０００４】
そこで、本願考案はかかる事情に鑑みて為されたものであり、浮上体の浮上状態を視覚的だけに楽しむだけでなく、浮上体を任意に移動させる過程を楽しむ遊技性を有すると共に、玩具としても腕等の運動機能の鍛錬、例えばリハビリテーション用具にも活用できる遊技具を提供する。
【課題を解決するための手段】
【０００５】
上記課題を解決するため、本願考案の遊技具は以下のように構成している。
すなわち、風圧によって浮上する浮遊体（４）と、この浮遊体（４）が移動可能な内部空域を持った経路を成し、かつこの経路の外周側の一部又は全部を通気可能に形成して成る空中路（２）と、この空中路（２）を空中の任意の位置に保持する保持手段（３）と、浮遊体（４）を浮上させながら空中路内を移動させる送風手段（７）と、から成ることを特徴としている。
【０００６】
上記の空中路（２）の外周側は、通気を良好とするために通気状態をほとんど妨げることの無い環状体（２２）、又はこれらを紐やチェーン等で連通したもの、若しくはスパイラルコイル（２１）や網体（２３）、又はこれらを適宜に組み合わせて構成したことを特徴としている。なお、これらの空中路（２）には、上下左右と多様に湾曲又は屈曲して任意の経路を成す、いわゆるフレキシブル性を有することが望ましい。
【０００７】
また、この空中路（２）の途中経路には、よりバリエーション豊富な経路を構築するため、環状のワイヤ又はこれを一部切り欠いたワイヤ（６３）を回転して内部に浮遊体（４）を収納可能とする１又は複数の中空回転体（６）を配置したり、浮遊体（４）を一時的に留置可能な載置台（５）を配置したことを特徴としている。
【０００８】
さらに、浮遊体（４）には、浮上時の安定性を得るためプロペラ（４１）を配置している。このプロペラ（４１）は断面が半円状の棒体であり、下方からの送風により浮遊体（４）と一体的に回転する構成である。
【０００９】
保持手段（３）には、空中路（２）の任意の位置を支持する複数の支持体（３３）を配設したことを特徴としている。
【００１０】
加えて、送風手段（７）を手持ち移動可能、例えばドライヤとしたことを特徴としている。したがって、浮遊体（４）の空中路内での浮上及び移動は、人がドライヤの操作により行うこととなる。
【００１１】
なお、実用新案登録請求の範囲の書類と上記の課題を解決するための手段の欄で記載した括弧付き符号は、考案の構成の理解を容易にするため参考として図面符号を付記したもので、この図面上の形態に限定するものでないことはもちろんである。
【考案の効果】
【００１２】
本願考案の遊技具は上記の構成であるため、以下の効果を奏する。
すなわち、空中路内において浮遊体を人が送風手段を操作して動かすため、浮遊体の浮遊状態を視覚的に楽しむことができるばかりでなく、ゲーム感覚での使用を楽しむことができる。
【００１３】
また、浮遊体を操作して空中路の内部を移動させることは、操作を行う者の腕等の運動機能の鍛錬にもなり、上記したゲーム感覚とも相俟ってリハビリテーション用具としても効率かつ効果的な機能を発揮する。
【００１４】
さらに、空中路の経路は、保持手段の支持位置によりフレキシブル（柔軟性）性を有しつつ任意に構成できるため、経路構成及び操作の難易度の設定における自由度が高く、玩具としてもリハビリテーション用具としても非常に使い勝手が優れているものである。
【考案を実施するための最良の形態】
【００１５】
以下、本願考案にかかる遊技具の具体的実施例について、図面に基づき詳細に説明する。
図１は遊技具の外観を示す斜視図であり、図２は遊技具の空中路の一部を示す側面図であり、図３は遊技具の空中路の一部を示す斜視図であり、図４は遊技具の空中路の途中に配置する載置台（Ａ）及び中空回転体（Ｂ）を示す斜視図であり、図５は空中路の別形態の一部を示す側面図である。
【００１６】
本実施例の遊技具１は、主に、保持手段３により空中に支持されて任意の経路を成す空中路２の内部に浮遊体４を配置し、この浮遊体４を空中路２の外部からの送風手段、例えばドライヤ７を介して浮上させ、さらにこの経路を浮遊させる構成である。
【００１７】
図符号２は空中路である。この空中路２は線材を巻回して所定長さのスパイラルコイル２１を成すと共に管状の外観を呈したものと、任意に曲げ変形させたフレキシブルワイヤ２２ａに取付部２２ｂを介して配置した複数の環状体２２から構成する２つのタイプが存在している。スパイラルコイル２１から成る空中路２は、適宜の位置を保持すれば上下左右に任意に湾曲した管路を成し、経路構成にも非常にフレキシブル性を有すると共にその内部との通気状態も良好である。
また、この環状体２２から成る空中路２は通気状態が良好であるのはもちろんであるが、経路設定の自由度がスパイラルコイル２１に比べても極めて高い上、一種の障害物として経路全体の難易度を上下させる機能も発揮している。
【００１８】
上記空中路２は、保持手段３により空中に任意の経路を成すように支持されている。この保持手段３は、床面に載置する円盤状の基盤３１の略中心に支柱３２を立設し、この支柱３２の上部側面に棒状の支持体３３を水平方向に多段状、本実施例では３段に配設して構成している。この支持体３３は、両端側を若干上向きに折り曲げている。
また、本実施例の支持体３３は、支柱３２に対して固定され、さらには上方配設側がより短い構成としているが、各支持体３３が支柱３２を中心軸として回転する構成としても良く、支持体３３の長さや配設する本数も空中路２のスパイラルコイル２１、フレキシブルワイヤ２２ａを支持できれば適宜に変更可能である。
【００１９】
上記構成の保持手段３による空中路２の支持方法は、以下のようにしている。まず、複数の保持手段３を床面、またはテーブル等の水平面に配置する。次に、保持手段３の適宜の支持体３３にスパイラルコイル２１の適宜の線材を単純に引っ掛けて、上下左右に湾曲する任意の経路を構成している。また、支持体３３に適宜に屈曲させたフレキシブルワイヤ２２ａに針金等を用いて結び付けて固定し、取付部２２ｂをもってフレキシブルワイヤ２２ａを狭持するようにして複数の環状体２２を配置している。
【００２０】
空中路内に配置された浮遊体４は、合成樹脂の発泡スチロールを球状に形成し、この上部に半円状の断面を有する棒状のプロペラ４１を配置して構成したものである。また、本実施例の浮遊体４の側面には２方向から貫通孔４２を形成している。
このプロペラ４１や貫通孔４２を配置、形成した浮遊体４は、空中路外からドライヤ７の送風によって容易に浮上し、軸回転しつつ安定状態を得ることができる。そして、送風操作によりこの浮上状態を維持しながら空中路内を浮遊することを可能としている。
【００２１】
なお、浮遊体４は、ドライヤ７の送風により浮上するものであれば、材質及び形状を本実施例に限定するものではなく、例えば、発泡スチロール、紙等の軽量な材質から４面体、６面体、８面体、１２面体、より球面体に近い多面体等の任意形状に形成しても良く、プロペラ４１や貫通孔４２も省略しても良い。さらには、中空状に形成した球体、いわゆる卓球等で使用するピンポン玉を使用するようにしても良い。
【００２２】
本実施例の遊技具では、２つのタイプから成る空中路２の経路途中に載置台５を配置している。この載置台５は、保持手段３の任意の支持体３３を狭持して固定する取付部５１の側部に配置した上向きに所定回数において巻回したコイル５２を配置して構成したものである。コイル５２の直径は浮遊体４の直径より若干小さめに設定しているため、コイル上端部に浮遊体４を載置することを可能としている。また、載置台５には、浮遊体４の載置に連動する発光ダイオード等の光学装置を追加して配置するようにしても良い。
【００２３】
また、空中路２の終端には中空回転体６を配置している。この中空回転体６は保持手段３の任意の支持体３３を狭持して固定する取付台６１に配置したモータ６２の出力軸に略半円状のワイヤ６３を固定して構成したものである。ワイヤ６３は、モータ６２により回転し、その内部に浮遊体４を収納可能としている。
【００２４】
なお、載置台５と中空回転体６の配置数及び配置位置は、本実施例に限定されるものではないことはもちろんであり、経路の難易度や構成を考慮して複数配置したり、配置位置も適宜に変更可能である。
また、本実施例の送風手段であるドライヤ７は、一般的に市販されているものであるため、本明細書での詳細な説明は省略する。
【００２５】
上述したように構成した遊技具１は、以下のようにして使用に供する。
まず、複数の保持手段３を床面、またはテーブル等の水平面に配置すると共に各保持手段３の適宜の支持体３３によって空中路２、載置台５、中空回転体６を支持し、所望の経路を構成する。
【００２６】
次に、空中路２の一方の端部開口側からその内部に浮遊体４を配置する。そして、空中路２の外部の下方からドライヤ７の送風を当て、浮遊体４を軸回転させつつ浮遊させ、載置台５に乗せて停止させたり、または中空回転体６の内部に入れ込んだりさせる。このような使用形態により、遊技具１は、玩具として楽しめることはもちろんのこと、腕等の運動機能の鍛錬であるリハビリテーション用具として活用できるものである。
［他の実施形態の可能性］
【００２７】
本実施例の空中路２は、スパイラルコイル２１や環状体２２から構成するばかりではなく、内部に通気可能（又は送風可能）とする材質であれば、例えば、網体２３（図５）、又紐やチェーン等（図示省略）から構成しても良い。この構成の空中路２は、上述したように任意の経路を成すためにある程度のフレキシブル性を有することが望ましいが、硬質材である金属、合成樹脂から構成するようにしても良い。
また、スパイラルコイル２１や網体２３からなる空中路２を、通気可能なシート材、例えば布、穴あきフィルム等で覆って構成するようにしても良い。この場合に空中路２の内部の浮遊体４は外部から確認できないため、ドライヤ７を所謂「カン」により操作することとなるが、より難易度が上がり遊技性が向上する。
【００２８】
また、空中路２の保持手段３は、上記実施例においては床面に配置する複数の支柱３２やこの支柱３２に配置する棒状の支持体３３から構成しているが、立体格子状に組んだ枠体から空中路２を吊り下げ保持するように構成することも可能である（図示省略）。この場合には、長さ調節した紐、チェーン、針金等で空中路２の任意の位置を懸架すれば、上下左右に湾曲又は屈曲した空中路２を構成することが可能である。
【図面の簡単な説明】
【００２９】
【図１】遊技具の外観を示す斜視図である。
【図２】遊技具の空中路の一部を示す側面図である。
【図３】遊技具の空中路の一部を示す斜視図である。
【図４】遊技具の空中路の途中に配置する載置台（Ａ）及び中空回転体（Ｂ）を示す斜視図である。
【図５】空中路の別形態の一部を示す側面図である。
【符号の説明】
【００３０】
１  遊技具
２  空中路
２１  スパイラルコイル
２２  環状体
２２ａ  フレキシブルワイヤ
２２ｂ  取付部
２３  網体
３  保持手段
３１  基盤
３２  支柱
３３  支持体
４  浮遊体
４１  プロペラ
４２  貫通孔
５  載置台
５１  取付部
５２  コイル
６  中空回転体
６１  取付部
６２  モータ
６３  ワイヤ
７  ドライヤ（送風手段）
【図１】
0003117049.tif 000003
【図２】
0003117049.tif 000004
【図３】
0003117049.tif 000005
【図４】
0003117049.tif 000006
【図５】
0003117049.tif 000007